(57)【要約】【課題】装置本体の側面に取り付けた液体収容装置を手掛けとして記録装置を持ち上げた場合において、装置本体に対する液体収容装置の取付状態が悪化することを抑制可能な記録装置及び同記録装置を備えた複合機を提供する。【解決手段】記録装置は、用紙に対してインクを噴射する記録ヘッドが内部に配置された本体ケース３１と、記録ヘッドに供給するインクを収容して本体ケース３１の外側面にねじ部材７５を介して取り付けられるインク収容装置１４とを備え、本体ケース３１は、インク収容装置１４から上方に向けた外力が加えられた場合に、該外力を受け止め可能な受け部６３Ａを有する。【選択図】図６
2015116724.tif 000002
【特許請求の範囲】
【請求項１】
媒体に対して液体を噴射する記録ヘッドと、
前記記録ヘッドを内部に配置した装置本体と、
前記記録ヘッドに供給する液体を収容して前記装置本体の外側面に取付部を介して取り付けられる液体収容装置と
を備え、
前記装置本体は、前記液体収容装置から上方に向けた外力が加えられた場合に、該外力を受け止め可能な受け部を有することを特徴とする記録装置。
【請求項２】
前記受け部は、鉛直方向と交差する方向に延び且つ重力方向に向いた下向き面を含んで構成されていることを特徴とする請求項１に記載の記録装置。
【請求項３】
前記下向き面は、鉛直方向と交差する方向において前記装置本体から離れた側から前記装置本体に近づく側に向けて上り勾配となる面形状をなし、
前記液体収容装置は、前記装置本体の外側面に対して変位可能な状態で取り付けられると共に、前記下向き面に対して摺動可能な上向き面を有していることを特徴とする請求項２に記載の記録装置。
【請求項４】
前記装置本体の前記受け部と前記液体収容装置との間には、前記液体収容装置において前記受け部と対向する部分よりも剛性を有して前記受け部と接触する補強部材が介装されていることを特徴とする請求項１〜請求項３のうちいずれか一項に記載の記録装置。
【請求項５】
前記受け部は、鉛直方向と交差する方向に突出した形状の凸部、該凸部と嵌合する形状の凹部、及び鉛直方向と交差する方向に張り出した形状の庇部のうちの何れかにより構成されていることを特徴とする請求項１〜請求項４のうちいずれか一項に記載の記録装置。
【請求項６】
液体を噴射することで記録動作を行う記録装置と、
原稿に記録された情報を読み取る読取装置と
を備え、
前記記録装置は、
媒体に対して液体を噴射する記録ヘッドと、
前記記録ヘッドを内部に配置した装置本体と、
前記記録ヘッドに供給する液体を収容して前記装置本体の外側面に取付部を介して取り付けられる液体収容装置と
を備え、
前記装置本体は、前記液体収容装置から上方に向けた外力が加えられた場合に、該外力を受け止め可能な受け部を有し、
前記読取装置は、
前記記録装置における前記装置本体の上部に配置され、
前記受け部は、前記読取装置の一部が前記装置本体から鉛直方向と交差する方向へ突出して構成されていることを特徴とする複合機。
【発明の詳細な説明】
【技術分野】
【０００１】
本発明は、例えばインクジェット式プリンターなどの記録装置及び同記録装置を備えた複合機に関する。
【背景技術】
【０００２】
従来から、記録装置の一種として、記録ヘッドから用紙等の媒体にインクを噴射して印刷（記録）を行うインクジェット式のプリンターが知られている。こうしたプリンターにおいて、比較的大量の印刷を行う場合には、記録ヘッドへ連続的に安定してインクを供給することが必要になる。そのため、この種のプリンターの中には、大容量の液体容器を収容した外部インクタンク（液体収容装置）をプリンターの装置本体外に備え、その外部インクタンクからインク供給チューブを通じて装置本体内に配置した記録ヘッドにインクを供給する構成のものがある（例えば、特許文献１参照）。
【先行技術文献】
【特許文献】
【０００３】
【特許文献１】特開２０１３−１２１６５９号公報
【発明の概要】
【発明が解決しようとする課題】
【０００４】
ところで、上述のようなプリンターでは、そのプリンターを持ち運びする場合の便宜を考慮し、外部インクタンクをプリンターにおける装置本体の外側面にねじ等を用いて取り付けることがある。そして、そのプリンターの持ち運び時には、通常、外部インクタンクを手掛けとして、ユーザーはプリンターを持ち上げる。そのため、プリンターの装置本体に対する外部インクタンクの取付部に応力が集中し、その取付部の構成要素であるねじ等が曲がって、装置本体に対する外部インクタンクの取付状態が悪化する虞があった。
【０００５】
なお、こうした問題は、インクジェット式プリンターに限らず、装置本体内の記録ヘッドに供給する液体が収容された液体収容装置を装置本体外に備え、その液体収容装置を装置本体の側面に取り付けた記録装置及び同記録装置を備えた複合機においては、概ね共通したものとなっている。
【０００６】
本発明は、このような実情に鑑みてなされたものであり、その目的は、装置本体の側面に取り付けた液体収容装置を手掛けとして記録装置を持ち上げた場合において、装置本体に対する液体収容装置の取付状態が悪化することを抑制可能な記録装置及び同記録装置を備えた複合機を提供することにある。
【課題を解決するための手段】
【０００７】
以下、上記課題を解決するための手段及びその作用効果について記載する。
上記課題を解決する記録装置は、媒体に対して液体を噴射する記録ヘッドと、前記記録ヘッドを内部に配置した装置本体と、前記記録ヘッドに供給する液体を収容して前記装置本体の外側面に取付部を介して取り付けられる液体収容装置とを備え、前記装置本体は、前記液体収容装置から上方に向けた外力が加えられた場合に、該外力を受け止め可能な受け部を有する。
【０００８】
この構成によれば、ユーザーが液体収容装置を手掛けとして記録装置を持ち上げた場合には、記録装置の装置本体には液体収容装置側から上方に向けた外力が加わるものの、該外力は装置本体の受け部で受け止められるため、装置本体に対する液体収容装置の取付部に応力が集中することを回避できる。したがって、装置本体の側面に取り付けた液体収容装置を手掛けとして記録装置を持ち上げた場合において、装置本体に対する液体収容装置の取付状態が悪化することを抑制できる。
【０００９】
上記記録装置において、前記受け部は、鉛直方向と交差する方向に延び且つ重力方向に向いた下向き面を含んで構成されていることが好ましい。
この構成によれば、液体収容装置からの上方に向けた外力は、受け部を構成する下向き面が液体収容装置に上方から接触することにより受け止められる。したがって、装置本体に対する液体収容装置の取付部に応力が集中することを簡単な構成で容易に回避できる。
【００１０】
上記記録装置において、前記下向き面は、鉛直方向と交差する方向において前記装置本体から離れた側から前記装置本体に近づく側に向けて上り勾配となる面形状をなし、前記液体収容装置は、前記装置本体の外側面に対して変位可能な状態で取り付けられると共に、前記下向き面に対して摺動可能な上向き面を有していることが好ましい。
【００１１】
この構成によれば、ユーザーが液体収容装置を手掛けとして記録装置を持ち上げた場合に、液体収容装置は、その上向き面が装置本体における受け部の下向き面に対して斜め上方向に摺動しつつ装置本体側に変位するため、装置本体に対する取付状態を良好に維持することができる。
【００１２】
上記記録装置において、前記装置本体の前記受け部と前記液体収容装置との間には、前記液体収容装置において前記受け部と対向する部分よりも剛性を有して前記受け部と接触する補強部材が介装されていることが好ましい。
【００１３】
この構成によれば、装置本体に対する液体収容装置の取付状態を補強部材の介装により強化することができる。
上記記録装置において、前記受け部は、鉛直方向と交差する方向に突出した形状の凸部、該凸部と嵌合する形状の凹部、及び鉛直方向と交差する方向に張り出した形状の庇部のうちの何れかにより構成されていることが好ましい。
【００１４】
この構成によれば、装置本体の側面に対して、鉛直方向と交差する方向に突出した形状の凸部、該凸部と嵌合する形状の凹部、及び鉛直方向と交差する方向に張り出した形状の庇部のうちの何れかを形成することにより、容易に受け部を形成することができる。
【００１５】
さらに、上記課題を解決する複合機は、液体を噴射することで記録動作を行う記録装置と、原稿に記録された情報を読み取る読取装置とを備え、前記記録装置は、媒体に対して液体を噴射する記録ヘッドと、前記記録ヘッドを内部に配置した装置本体と、前記記録ヘッドに供給する液体を収容して前記装置本体の外側面に取付部を介して取り付けられる液体収容装置とを備え、前記装置本体は、前記液体収容装置から上方に向けた外力が加えられた場合に、該外力を受け止め可能な受け部を有し、前記読取装置は、前記記録装置における前記装置本体の上部に配置され、前記受け部は、前記読取装置の一部が前記装置本体から鉛直方向と交差する方向へ突出して構成されている。
【００１６】
この構成によれば、上記記録装置の場合と同様の作用効果を、複合機において享受することができる。
【図面の簡単な説明】
【００１７】
【図１】実施形態の記録装置を備える複合機の外観を示す斜視図。
【図２】その記録装置の内部構成を示す斜視図。
【図３】記録装置を備える複合機の正面図。
【図４】その記録装置の本体ケースを左後方から見た場合の斜視図。
【図５】同記録装置におけるインク収容装置の斜視図。
【図６】同インク収容装置の本体ケースに対する取付状態を示す断面図。
【図７】第１変形例でのインク収容装置の斜視図。
【図８】同インク収容装置の本体ケースに対する取付状態を示す断面図。
【図９】（ａ）は第２変形例でのインク収容装置の本体ケースに対する取付状態を示す断面図、（ｂ）は第３変形例でのインク収容装置の本体ケースに対する取付状態を示す断面図。
【図１０】第４変形例でのインク収容装置の斜視図であり、（ａ）は開閉カバーが閉じた状態の斜視図、（ｂ）は開閉カバーが開いた状態の斜視図。
【図１１】（ａ）は同インク収容装置の本体ケースに対する取付状態を示す断面図、（ｂ）はその変形例でのインク収容装置の本体ケースに対する取付状態を示す断面図。
【図１２】第５変形例の記録装置を備える複合機の模式図。
【図１３】その記録装置におけるインク収容装置の本体ケースに対する取付状態を示す断面図。
【図１４】第６変形例の記録装置を備える複合機の外観を示す斜視図。
【図１５】その記録装置におけるインク収容装置の蓋体を外した状態の斜視図。
【図１６】第７変形例でのインク収容装置の本体ケースに対する取付状態を示す断面図であり、（ａ）は記録装置の持ち上げ前の断面図、（ｂ）はインク収容装置を手掛けにして記録装置を持ち上げている状態での断面図。
【発明を実施するための形態】
【００１８】
以下、実施形態に係る記録装置について、図面を参照して説明する。なお、本実施形態における記録装置は、例えば、用紙などの媒体に液体の一例であるインクを噴射することによって記録（印刷）を行うインクジェット式のプリンターである。
【００１９】
図１に示すように、複合機１１は、インクを噴射することで記録動作を行う記録装置１２と、原稿Ｇに記録された情報を読み取る読取装置１３と、記録装置１２に供給するためのインクを収容するインク収容装置（液体収容装置）１４と、積層された複数の原稿Ｇを読取装置１３に順次給送する自動原稿給送部１５を備えている。読取装置１３は記録装置１２上に配置され、自動原稿給送部１５は読取装置１３上に配置されている。また、複合機１１の前面には、ユーザーが複合機１１に対して情報を入力する際に操作される操作部１６と、複合機１１の各種情報が表示される表示部１７とが設けられている。なお、表示部１７は、例えば液晶ディスプレイなどである。
【００２０】
図１及び図２に示すように、インク収容装置１４は、記録装置１２の左右方向における片側（左側）に配置されている。また、図２に示すように、インク収容装置１４は、複数（本実施形態では４つ）の大容量袋体で構成されたインク収容体２１と、各インク収容体２１を収容して記録装置１２の外側面に取り付けられる樹脂製の外付けケース２２とを備えている。この外付けケース２２は、上端に各インク収容体２１を収容するための開口部２３を有した前後方向に長い有底矩形箱状をなし、その開口部２３を開閉する蓋体２４を備えている。
【００２１】
外付けケース２２内には、４つのインク収容体２１が前後方向に並んで配置されている。すなわち、前側から後側に向かって、ブラックインクを収容するインク収容体２１Ｂ、シアンインクを収容するインク収容体２１Ｃ、マゼンタインクを収容するインク収容体２１Ｍ、イエローインクを収容するインク収容体２１Ｙが収容されている。また、外付けケース２２は、その高さが読取装置１３の高さと揃うように、記録装置１２の左側面に対して着脱自在に取り付けられている。
【００２２】
図１及び図２に示すように、記録装置１２は、左右方向に長い略直方体状の本体ケース（装置本体）３１を備えている。本体ケース３１内の中央部には、媒体の一例としての用紙Ｐを支持する支持台３２が設けられている。また、支持台３２の上方には、主走査方向である左右方向に往復移動可能なキャリッジ３３が設けられている。
【００２３】
キャリッジ３３内には、インクを噴射するノズル（図示略）が形成された記録ヘッド３５と、インク収容体２１に比較して収容できるインク量が少ない小容量の予備タンク３６とが支持されている。記録ヘッド３５は、ノズルが支持台３２と向かい合うようにキャリッジ３３に支持されている。また、予備タンク３６は、ブラックインクを収容する大容量のインク収容体２１Ｂに対応して１つだけ設けられ、同予備タンク３６にはブラックインクが収容されている。そして、記録ヘッド３５は、キャリッジ３３が左右方向に移動するときに、支持台３２上を搬送される用紙Ｐに対してインクを噴射することで用紙Ｐに記録（印刷）を行う。
【００２４】
図１に示すように、記録装置１２の下側には、複数の用紙Ｐを積層状態で収容可能な給紙カセット４１が、本体ケース３１の前面中央下部に設けられた給紙カセット装着口４２を介して、本体ケース３１に着脱自在に装着されている。給紙カセット４１内の用紙Ｐは、紙送り機構（図示略）により、一枚ずつ反転されながら支持台３２上へ後側から給送される。そして、支持台３２上で記録が済んだ用紙Ｐは、給紙カセット装着口４２における給紙カセット４１よりも上側の領域によって構成される排紙口４３から順次排紙される。なお、給紙カセット４１の上側には、排紙口４３から順次排紙される用紙Ｐを支持する排紙トレイ４４が前後方向において伸縮自在に設けられている。
【００２５】
図２に示すように、記録装置１２は、本体ケース３１内における左端部に、前側が開口した矩形箱状をなすホルダーケース５１と、ホルダーケース５１内の底壁（後壁）に設けられた左右方向に並ぶ複数（本実施形態では４つ）のインク供給針等からなる接続部５２とを備えている。
【００２６】
各接続部５２の先端部には、一端側がインク収容体２１に接続される接続チューブ５３の他端側が接続されている一方、各接続部５２の基端部には、一端側が記録ヘッド３５に接続される供給チューブ５４の他端側が接続されている。ここで、供給チューブ５４及び接続チューブ５３は、可撓性を有する材質で構成されている。また、供給チューブ５４には、インクを記録ヘッド３５側に圧送するポンプ（図示略）が設けられている。こうして、インク収容装置１４の各インク収容体２１から各接続チューブ５３を介して各接続部５２に供給された各インクは、各供給チューブ５４を介して記録ヘッド３５へと供給される。なお、図２に示すように、本体ケース３１の左側壁には、本体ケース３１の内外を連通する連通口５５が形成され、各接続チューブ５３は、この連通口５５に挿通された状態で、インク収容体２１と接続部５２とを接続している。
【００２７】
また、図３に示すように、複合機１１は、読取装置１３の下側に位置する記録装置１２がテーブル等の設置面Ｆ上に設置されて使用される。そして、その際において、記録装置１２における本体ケース３１の側面（図３では左側面）に取り付けられるインク収容装置１４の外付けケース２２は、その下面２５が設置面Ｆから所定の距離Ｌだけ浮いた状態に取り付けられる。この場合、外付けケース２２の下面２５と設置面Ｆとの間の距離Ｌは、ユーザーが外付けケース２２を手掛けとして記録装置１２（複合機１１）を持ち上げる際に手先を差し入れ可能な隙間を形成する距離であることが望ましい。
【００２８】
次に、記録装置１２の本体ケース３１に対するインク収容装置１４の外付けケース２２の取付構造について説明する。
図４に示すように、記録装置１２における本体ケース３１の側壁（この場合、左側壁）３１ａには矩形の開口３１ｂが形成されている。そして、本体ケース３１の側壁３１ａの内面には、その開口３１ｂと対応した矩形の凹部６０を有する金属製のフレーム部材６１が、本体ケース３１の内側から開口３１ｂを塞ぐように固定されている。因みに、本体ケース３１の側壁３１ａはフレーム部材６１よりも剛性に劣る樹脂材料で形成されており、金属製のフレーム部材６１は樹脂製の本体ケース３１の側壁３１ａを補強する機能を有する。
【００２９】
なお、フレーム部材６１の前側上方の隅角位置には、インク収容体２１と接続部５２とを接続する接続チューブ５３を挿通させる連通口５５が貫通形成されている。さらに、フレーム部材６１における凹部６０内の複数箇所（図４では６箇所）には取付孔６２が形成されている。因みに、この場合の取付孔６２は、その内周面に雌ねじが形成されたねじ孔である。
【００３０】
一方、図５に示すように、インク収容装置１４の外付けケース２２において本体ケース３１への取付時に本体ケース３１側となる側面には、本体ケース３１のフレーム部材６１が有する凹部６０と嵌合可能な形状の凸部７０が、本体ケース３１への取付状態において鉛直方向と交差する方向へ突出するように形成されている。なお、凸部７０において本体ケース３１への取付時に連通口５５と一致する位置には、接続チューブ５３を挿通させる連通口７１が貫通形成されている。また、凸部７０において本体ケース３１への取付時に各取付孔６２と各々対応する複数箇所（図５では６箇所）には取付孔７２が形成されている。因みに、この場合の取付孔７２も、その内周面に雌ねじが形成されたねじ孔である。そして、この場合の凸部７０において、本体ケース３１への取付時に上方を向く端面は、鉛直方向と交差する方向に延び且つ反重力方向に向いた上向き面７３を構成する。
【００３１】
図６に示すように、インク収容装置１４の外付けケース２２は、記録装置１２における本体ケース３１の側面に対し、その凸部７０を本体ケース３１側の凹部６０に嵌合させた状態で取り付けられる。そして、その嵌合状態では、連通口５５と連通口７１が一致し、その連続した両連通口５５，７１に接続チューブ５３が挿通される。また、取付孔６２と取付孔７２が一致し、その連続した両取付孔６２，７２に取付部を構成するねじ部材７５が螺入される。さらに、本体ケース３１側の凹部６０の内側面において、インク収容装置１４側の凸部７０の上向き面７３と鉛直方向で対向する部分は、鉛直方向と交差する方向に延び且つ重力方向に向いた下向き面６３を構成している。
【００３２】
次に、以上のように構成された本実施形態の記録装置１２の作用について、ユーザーが記録装置１２（複合機１１）を持ち上げた場合の作用に着目して、以下説明する。
さて、例えば図３に示す状態にある記録装置１２（複合機１１）をユーザーが持ち上げる場合、通常、ユーザーは記録装置１２の右側面下部に一方の手先を差し入れると共に、他方の手先をインク収容装置１４における外付けケース２２の下面２５側に差し入れる。すなわち、ユーザーは、インク収容装置１４の外付けケース２２を手掛けとして記録装置１２を持ち上げようとする。そのため、持ち上げ時には、ねじ部材（取付部）７５を介して本体ケース３１に取り付けられている外付けケース２２は上方に向けた外力を受ける。そして、その外付けケース２２に加えられた上向きの外力が、次には外付けケース２２の取付孔７２を介してねじ部材７５に加わる。
【００３３】
また、図６に示すように、このとき外付けケース２２側の凸部７０と本体ケース３１側の凹部６０は、鉛直方向で対向する上向き面７３と下向き面６３が接触しているため、この上向き面７３と下向き面６３との接触を通じて、インク収容装置１４側からの上向きの外力が本体ケース３１側に加わる。そして、その上向きの外力は本体ケース３１側の凹部６０が有する下向き面６３によって受け止められる。この点で、本体ケース３１側の凹部６０の内側面の一部である下向き面６３は、インク収容装置１４側から上方に向けた外力が加わった場合に、該外力を受け止め可能な受け部６３Ａとして機能する。
【００３４】
以上のように、記録装置１２の持ち上げ時にインク収容装置１４の外付けケース２２側から加わる上方に向けた外力は、ねじ部材７５に集中することなく、凹部６０の下向き面６３が受け部６３Ａとして機能することにより、凹部６０の受け部６３Ａとねじ部材７５とに分散される。そのため、ねじ部材７５が応力の集中により曲がってしまうような虞が低減する。そして、インク収容装置１４の外付けケース２２から加わる上方に向けた外力は、本体ケース３１における凹部６０の下向き面６３が受け部６３Ａとなって、安定的に受け止める。その結果、本体ケース３１に対するインク収容装置１４の外付けケース２２の取付状態は良好に維持される。
【００３５】
上記実施形態によれば、以下に示す効果を得ることができる。
（１）ユーザーがインク収容装置１４を手掛けとして記録装置１２を持ち上げた場合、記録装置１２の本体ケース３１にはインク収容装置１４側から上方に向けた外力が加わるものの、該外力は本体ケース３１の受け部６３Ａで受け止められる。そのため、本体ケース３１に対してインク収容装置１４を取り付ける際の取付部として機能するねじ部材７５に応力が集中することを回避できる。したがって、本体ケース３１の側面に取り付けたインク収容装置１４を手掛けとして記録装置１２を持ち上げた場合において、本体ケース３１に対するインク収容装置１４の取付状態が悪化することを抑制できる。
【００３６】
（２）インク収容装置１４からの上方に向けた外力は、受け部６３Ａを構成する凹部６０の下向き面６３がインク収容装置１４に上方から接触することにより受け止められる。したがって、本体ケース３１に対するインク収容装置１４の取付部の一例であるねじ部材７５に応力が集中することを簡単な構成で容易に回避できる。
【００３７】
（３）インク収容装置１４の外付けケース２２から鉛直方向と交差する方向に突出した凸部７０と嵌合する凹部６０を本体ケース３１の側面に形成することにより、インク収容装置１４側からの上向きの外力を安定的に受け止める受け部６３Ａを容易に形成することができる。
【００３８】
なお、上記実施形態は以下に示すように変更してもよい。
・図７及び図８に示す第１変形例のように、インク収容装置１１４の本体ケース３１に対する取付構造において、本体ケース３１の受け部６３Ａとインク収容装置１１４との間に補強部材８０を介在させてもよい。
【００３９】
すなわち、図７に示すように、インク収容装置１１４の外付けケース２２の側面から本体ケース３１側へ突出形成された凸部７０には、断面形状が逆Ｌ字状の補強部材８０が接合されている。この補強部材８０は、インク収容装置１４の外付けケース２２において、本体ケース３１側の凹部６０の下向き面６３（受け部６３Ａ）と対向する部分の構成材料（この場合、樹脂）よりも剛性を有する金属材料等からなる板材で構成される。
【００４０】
この補強部材８０において本体ケース３１側の連通口５５及びインク収容装置１１４側の連通口７１と一致する位置には、両連通口５５，７１と協働して接続チューブ５３を挿通させる連通口８１が貫通形成されている。また、補強部材８０において本体ケース３１側の取付孔６２及びインク収容装置１１４側の取付孔７２と一致する複数箇所（図７では６箇所）には、両取付孔６２，７２と協働してねじ部材７５を螺入させる取付孔８２が形成されている。因みに、この場合の取付孔８２も、その内周面に雌ねじが形成されたねじ孔である。そして、この場合の補強部材８０において、本体ケース３１への取付時に上方を向く端面は、鉛直方向と交差する方向に延び且つ反重力方向に向いた上向き面８３を構成する。
【００４１】
図８に示すように、本実施形態でのインク収容装置１１４の外付けケース２２は、記録装置１２における本体ケース３１の側面に対し、その凸部７０と本体ケース３１側の凹部６０との間に補強部材８０が介在させた状態で取り付けられる。そして、その取付状態では、連続した３つの連通口５５，７１，８１に接続チューブ５３が挿通されると共に、連続した３つの取付孔６２，７２，８２に取付部を構成するねじ部材７５が螺入される。さらに、本体ケース３１側の凹部６０の内側面において、インク収容装置１１４側の凸部７０に接合された補強部材８０の上向き面８３と鉛直方向で対向する部分が、鉛直方向と交差する方向に延び且つ重力方向に向いた下向き面６３を構成している。
【００４２】
さて、以上のように構成された第１変形例でも、ユーザーがインク収容装置１１４の外付けケース２２を手掛けとして記録装置１２（複合機１１）を持ち上げた場合、その外付けケース２２に加えられる上向きの外力は、ねじ部材７５及び凹部６０の下向き面６３（受け部６３Ａ）に分散して受け止められる。そのため、ねじ部材７５が応力の集中により曲がってしまうような虞が低減する。
【００４３】
そして、この第１変形例の場合は、金属製のフレーム部材６１に形成された凹部６０の下向き面６３（受け部６３Ａ）に対して、樹脂製の外付けケース２２の凸部７０を直接に押し付けるのではなく、その凸部７０を覆う金属材料等の剛性を有する板材で形成した補強部材８０を押し付けることにしている。そのため、記録装置１２の持ち上げ時に、樹脂製のインク収容装置１１４の外付けケース２２が摩耗したり変形したりする虞が低減する。
【００４４】
したがって、この第１変形例によれば、上記実施形態での上記（１）〜（３）の効果に加えて次のような効果をさらに奏し得る。
（４）記録装置１２の本体ケース３１に対するインク収容装置１１４の取付状態を補強部材８０の介装により強化することができる。
【００４５】
・図９（ａ）に示す第２変形例のように、断面逆Ｌ字状の補強部材８０に代えて、断面横Ｕ字状の補強部材８０Ａを外付けケース２２の凸部７０に接合してもよい。この場合は、外付けケース２２内に収容するインク収容体２１の重量が大きくなって、その外付けケース２２側から本体ケース３１側に下方に向けた外力を加えることになるときにも、樹脂製の凸部７０の下向きの端面が摩耗したり変形したりする虞を低減できる。
【００４６】
・また、図９（ｂ）に示す第３変形例のように、断面横長矩形状の補強部材８０Ｂを外付けケース２２の凸部７０の上向き面７３と本体ケース３１側の凹部６０の下向き面６３（受け部６３Ａ）との間に介在させるようにしてもよい。この場合も、第１変形例における上記（４）の効果を同様に享受できる。
【００４７】
・また、図１０（ａ）（ｂ）に示す第４変形例のように、インク収容装置２１４の形態を変更してもよい。
すなわち、この第４変形例におけるインク収容装置２１４の外付けケース２２は上方に開口部２３を有した上下方向に長い有底矩形箱状をなし、その開口部２３を開閉する蓋体２４を備えている。蓋体２４は、外付けケース２２に対して、外付けケース２２の下端部近傍を前後方向に延びる軸線２１５を回動中心にして回動することで、開口部２３を隠蔽する図１０（ａ）の閉じ状態と、開口部２３を露出させる図１０（ｂ）の開き状態との間で開閉動作する。
【００４８】
そして、図１０（ａ）に示すように、外付けケース２２は、蓋体２４が閉じ状態にあるとき、その開口部２３が隠蔽されるものの、左右方向で蓋体２４とは反対側の部分となる右側略三分の一の部分が、本体ケース３１への取付時に本体ケース３１側となる右側へ突出した凸部７０とされる。そして、その凸部７０には、接続チューブ５３を挿通可能な連通口７１と、ねじ部材７５を螺入可能なねじ孔の取付孔７２が、外付けケース２２の内外を連通するように貫通形成されている。また、その凸部７０において蓋体２４で隠蔽されない上方を向く端面の部分が、鉛直方向と交差する方向に延びる上向き面７３とされている。
【００４９】
図１１（ａ）に示すように、この第４変形例におけるインク収容装置２１４を取り付け可能な記録装置１２の本体ケース３１は、その側面に鉛直方向と交差する方向へ張り出た庇部９０を有している。そして、その庇部９０の下側の面を受け部６３Ａとなる下向き面６３とし、その下向き面６３に凸部７０の上向き面７３を接触させると共に、その凸部７０の鉛直方向に沿う面を本体ケース３１の側面に接触させた状態で、外付けケース２２は本体ケース３１に取り付けられている。このように、本体ケース３１の側面に凹部６０を形成することができない記録装置１２の場合であって、その本体ケース３１の側面に庇部９０がある記録装置１２の場合には、この第４変形例のようなインク収容装置２１４を取り付けることができる。
【００５０】
・なお、図１１（ｂ）に示すように、受け部６３Ａとなる下向き面６３を形成する庇部９１は、本体ケース３１の側面から鉛直方向と交差する方向へ突出形成された断面矩形の突起により構成してもよい。この場合でも、第４変形例のようなインク収容装置２１４を取り付けることができる。
【００５１】
・また、図１２に示す第５変形例のように、複合機１１において記録装置１２の上側に位置する読取装置１３が記録装置１２の側面上端部よりも側方へ、すなわち、鉛直方向と交差する方向へ張り出して庇部９２を形成している場合には、その庇部９２を利用して受け部６３Ａを構成することも可能である。なお、この場合も、記録装置１２の本体ケース３１の側面に取り付けられるインク収容装置は第４変形例でのインク収容装置２１４が取り付けられる。
【００５２】
この場合は、図１３に示すように、読取装置１３の張り出した端部にて構成される庇部９２の下側の面を受け部６３Ａとなる下向き面６３とし、その下向き面６３に凸部７０の上向き面７３を接触させると共に、その凸部７０の鉛直方向に沿う面を本体ケース３１の側面に接触させた状態で、外付けケース２２は本体ケース３１に取り付けられる。
【００５３】
・上記実施形態及び各変形例では、インク収容装置１４，１１４，２１４を記録装置１２の左右方向における片側に配置したが、記録装置１２の前後方向における片側に配置してもよい。
【００５４】
・また、図１４及び図１５に示す第６変形例のように、インク収容装置１４Ａ，１４Ｂは、記録装置１２の左右方向における両側に配置するようにしてもよい。この場合、図１５に示すように、記録装置１２の左右方向における一方側に配置されるインク収容装置１４Ａには、ブラックのインク収容体２１Ｂを収容し、他方側に配置されるインク収容装置１４Ｂには、シアン・マゼンタ・イエローの各インク収容体２１Ｃ，２１Ｍ，２１Ｙを収容してもよい。また、インク収容装置１４Ｂには、例えば、白色、ライトシアン又はライトマゼンタといった他のインク色のインク収容体を収容してもよい。また、一方側のインク収容装置１４Ａに、ブラック・シアン・マゼンタ・イエローのうち何れか２つのインク収容体を収容し、他方側のインク収容装置１４Ｂに、その他のインク収容体を収容してもよい。
【００５５】
・また、図１６（ａ）（ｂ）に示す第７変形例のように、インク収容装置１４の外付けケース２２は、記録装置１２の本体ケース３１の外側面に対して変位可能な状態で取り付けられていてもよい。この場合、図１６（ａ）に示すように、本体ケース３１側の凹部６０において受け部６３Ａを構成する下向き面６３と、インク収容装置１４における外付けケース２２の凸部７０が有する上向き面７３との間には、記録装置１２を持ち上げたときに外付けケース２２の変位を許容するための隙間Ｓが形成されている。
【００５６】
また、この第７変形例では、インク収容装置１４の外付けケース２２に貫通形成される取付孔７２の内径が、ねじ部材７５の外径よりも径大に形成され、取付孔７２の内周面とねじ部材７５の外周面との間には、凹部６０の下向き面６３と凸部７０の上向き面７３との間の隙間Ｓよりも大きな隙間Ｓが形成されている。なお、ねじ部材７５の先端部には、本体ケース３１の内側からナット７６が螺合されている。
【００５７】
さらに、この第７変形例では、凹部６０の下向き面６３（受け部６３Ａ）が、鉛直方向と交差する方向において、本体ケース３１から離れた側から本体ケース３１に近づく側に向けて上り勾配となる面形状の斜面になっている。そして、この下向き面６３と上下方向において対向する凸部７０の上向き面７３も、同様に、鉛直方向と交差する方向において、本体ケース３１から離れた側から本体ケース３１に近づく側に向けて上り勾配となる面形状の斜面になっている。なお、凸部７０において重力方向側を向いた下向き端面７４と、凹部６０において反重力方向側を向いた上向き内側面６４とは、鉛直方向と直交する水平方向に沿うように形成されている。
【００５８】
そのため、図１６（ａ）に示す通常状態（持ち上げ前状態）において、インク収容装置１４は、外付けケース２２の凸部７０の下向き端面７４を本体ケース３１側の凹部６０の上向き内側面６４に上方から面接触させる一方で、凸部７０の上向き面７３と凹部６０の下向き面６３との間には隙間Ｓを空けた状態で、本体ケース３１に取り付けられている。そして、その状態からインク収容装置１４を手掛けとして記録装置１２がユーザーにより持ち上げられると、本体ケース３１側の凹部６０内でインク収容装置１４側の凸部７０が上方に変位し、凸部７０の斜面状をなす上向き面７３が、凹部６０の同じく斜面状をなす下向き面６３に下方から接触する。
【００５９】
すると、凸部７０の上向き面７３及び凹部６０の下向き面６３は、いずれも本体ケース３１に近づく側に向けて上り勾配となる面形状の斜面になっているので、インク収容装置１４は、凸部７０の上向き面７３を凹部６０の下向き面６３に摺動させつつ、上方へ変位する。すなわち、凹部６０の内側面に奥側ほど上り勾配となる斜面を形成する下向き面６３に対して凸部７０の同じく斜面の上向き面７３が楔状に食い込むように摺動するので、図１６（ｂ）に示すように、インク収容装置１４は本体ケース３１の外側面に対して圧接するように変位する。したがって、この第７変形例によれば、ユーザーがインク収容装置１４を手掛けとして記録装置１２を持ち上げた場合に、インク収容装置１４は、その上向き面７３が本体ケース３１における受け部６３Ａの下向き面６３に対して斜め上方向に摺動しつつ本体ケース３１側に変位するため、本体ケース３１に対する取付状態を良好に維持することができる。
【００６０】
・インク収容装置１４，１１４，２１４の外付けケース２２の側面に、受け部６３Ａとなる下向き面６３を有する凹部６０を形成する一方、本体ケース３１の外側面から凹部６０内の下向き面６３と接触可能な上向き面７３を有する凸部７０を突出形成してもよい。
【００６１】
・受け部６３Ａとなる下向き面６３を内側面に有する凹部６０の深さは、例えば図８に示した第２変形例の場合、補強部材８０の厚みに相当する深さであってもよい。
・本体ケース３１の外側面にインク収容装置１４，１１４，２１４の外付けケース２２を取り付ける取付部は、ねじ部材７５以外に、例えばリベットや取付バンド或いは接着剤などであってもよい。
【００６２】
・上記実施形態では、記録装置１２をシリアルプリンターに具体化したが、同記録装置１２は、ラインプリンターであってもよいし、ページプリンターであってもよい。
・上記実施形態において、記録装置１２は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。
【００６３】
液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【符号の説明】
【００６４】
１１…複合機、１２…記録装置、１３…読取装置、１４，１４Ａ，１４Ｂ，１１４，２１４…インク収容装置（液体収容装置）、３１…本体ケース（装置本体）、３５…記録ヘッド、６０…凹部、６３…下向き面、６３Ａ…受け部、７０…凸部、７３，８３…上向き面、７５…ねじ部材（取付部）、８０，８０Ａ，８０Ｂ…補強部材、９０，９１，９２…庇部、Ｇ…原稿、Ｐ…用紙（媒体）。
【図１】
2015116724.tif 000003
【図２】
2015116724.tif 000004
【図３】
2015116724.tif 000005
【図４】
2015116724.tif 000006
【図５】
2015116724.tif 000007
【図６】
2015116724.tif 000008
【図７】
2015116724.tif 000009
【図８】
2015116724.tif 000010
【図９】
2015116724.tif 000011
【図１０】
2015116724.tif 000012
【図１１】
2015116724.tif 000013
【図１２】
2015116724.tif 000014
【図１３】
2015116724.tif 000015
【図１４】
2015116724.tif 000016
【図１５】
2015116724.tif 000017
【図１６】
2015116724.tif 000018